(57)【要約】【課題】損益計算書や対策対照表と共に、キャッシュフローを把握できる欄を備えたキャッシュフロー計算書を提供する。【解決手段】  １枚のシートに、損益計算書欄Ｍ１および貸借対照表欄Ｍ２の他に、キャッシュフローに関するキャッシュフロー計算書欄Ｍ３および総合欄Ｍ４を有する。また、当期累計の資産、当期累計の負債、当期累計の資本のビジュアル画像がビジュアル画像欄Ｂ１に表示される。【選択図】  図２
0003167612.tif 000002
【実用新案登録請求の範囲】
【請求項１】
損益計算書欄（Ｍ１）と、貸借対照表欄（Ｍ２）と、キャッシュフロー計算書欄（Ｍ３）と、総合欄（Ｍ４）と
を有し、
前記損益計算書欄（Ｍ１）は、
前期実績および当期累計の売上総利益がそれぞれ表示される売上総利益欄［ａ１３］，［ａ２３］と、
前期実績および当期累計の営業利益がそれぞれ表示される営業利益欄［ａ１５］，［ａ２５］と、
前期実績および当期累計の経常利益がそれぞれ表示される経常利益欄［ａ１８］，［ａ２８］と、
前期実績および当期累計の税引前当期利益がそれぞれ表示される税引前当期利益欄［ａ２１］，［ａ３１］と、
前期実績および当期累計の税引後当期利益がそれぞれ表示される税引後当期利益欄［ａ２３］，［ａ３３］と
を有し、
貸借対照表欄（Ｍ２）は、
前期実績および当期累計の資産の欄［ｂ１１］〜［ｂ１８］，［ｂ２１］〜［ｂ２８］と、
前期実績および当期累計の負債の欄［ｃ１１］〜［ｃ１８］，［ｃ２１］〜［ｃ２８］と、
前期実績および当期累計の資本の欄［ｄ１１］〜［ｄ１３］，［ｄ２１］〜［ｄ２３］と
を有し、
前記キャッシュフロー計算書欄（Ｍ３）は、
当期の営業活動によるキャッシュフロー増額が表示される欄［ｆ１２］〜［ｆ１９］と、
当期の営業活動によるキャッシュフロー減額が表示される欄［ｆ２１］〜［ｆ２８］と、
当期の投資活動によるキャッシュフロー増額が表示される欄［ｇ１１］〜［ｇ１３］と、
当期の投資活動によるキャッシュフロー減額が表示される欄［ｇ２１］〜［ｇ２４］と、
当期の財務活動によるキャッシュフロー増額が表示される欄［ｈ１１］，［ｈ１２］と、
当期の財務活動によるキャッシュフロー減額が表示される欄［ｈ２１］〜［ｇ２３］と
を有し、
前記総合欄（Ｍ４）は、
キャッシュフローの総計が表示される欄［ｉ１］と、
期首のキャッシュ残高が表示される欄［ｉ２］と、
期末のキャッシュ残高が表示される欄［ｉ５］と
を有する
キャッシュフロー計算書。
【請求項２】
前記当期累計の資産の欄［ｂ２８］に表示された額に応じたビジュアル画像と、
前記当期累計の負債の欄［ｃ２７］に表示された額に応じたビジュアル画像と、
前記当期累計の資本の欄［ｄ２１］，［ｄ２２］に表示された額に応じたビジュアル画像と
をさらに有する請求項１に記載のキャッシュフロー計算書。
【請求項３】
売上総利益の実績と予算の額が表示される欄［ｍ１１］，［ｍ２１］と、
営業利益の実績と予算の額が表示される欄［ｍ１５］，［ｍ２５］と、
販管費内訳の実績と予算の額が表示される欄［ｐ１３］，［ｐ２３］と、
販管費の増加要因の合計額と減少要因の合計額とが表示される欄［ｑ１］，［ｑ２］と、
売上総利益目標額が表示される欄［ｎ１１］と、
営業利益目標額が表示される欄［ｎ１２］と
を有する売上・利益のシミュレーション欄
をさらに有する請求項１または請求項２に記載のキャッシュフロー計算書。
【考案の詳細な説明】
【技術分野】
【０００１】
本考案は、損益計算書や貸借対照表を備えたキャッシュフロー計算書に関する。
【背景技術】
【０００２】
企業の経営状態は、例えば、損益計算書や貸借対照表などに表示された前期の実績と当期の途中月までの売上総利益、営業利益、経常利益、税引前当期利益等の額に基づいて評価される。
【考案の概要】
【考案が解決しようとする課題】
【０００３】
ところで、損益計算書や対策対照表を見ても、現時点でのキャッシュフローまでは把握できない。
【０００４】
本考案は、このような点に鑑みてなされ、損益計算書や対策対照表と共に、キャッシュフローを把握できるキャッシュフロー計算書を提供することを目的とする。
【課題を解決するための手段】
【０００５】
上述した従来技術の問題点を解決し、上述した目的を達成するために、本考案のキャッシュフロー計算書は、損益計算書欄（Ｍ１）と、貸借対照表欄Ｍ２と、キャッシュフロー計算書欄（Ｍ３）と、総合欄（Ｍ４）とを有する。前記損益計算書欄は、前期実績および当期累計の売上総利益がそれぞれ表示される売上総利益欄［ａ１３］，［ａ２３］と、前期実績および当期累計の営業利益がそれぞれ表示される営業利益欄［ａ１５］，［ａ２５］と、前期実績および当期累計の経常利益がそれぞれ表示される経常利益欄［ａ１８］，［ａ２８］と、前期実績および当期累計の税引前当期利益がそれぞれ表示される税引前当期利益欄［ａ２１］，［ａ３１］と、前期実績および当期累計の税引後当期利益がそれぞれ表示される税引後当期利益欄［ａ２３］，［ａ３３］とを有する。貸借対照表欄（Ｍ２）は、前期実績および当期累計の資産の欄［ｂ１１］〜［ｂ１８］，［ｂ２１］〜［ｂ２８］と、前期実績および当期累計の負債の欄［ｃ１１］〜［ｃ１８］，［ｃ２１］〜［ｃ２８］と、前期実績および当期累計の資本の欄［ｄ１１］〜［ｄ１３］，［ｄ２１］〜［ｄ２３］とを有する。前記キャッシュフロー計算書欄（Ｍ３）は、当期の営業活動によるキャッシュフロー増額が表示される欄［ｆ１２］〜［ｆ１９］と、当期の営業活動によるキャッシュフロー減額が表示される欄［ｆ２１］〜［ｆ２８］と、当期の投資活動によるキャッシュフロー増額が表示される欄［ｇ１１］〜［ｇ１３］と、当期の投資活動によるキャッシュフロー減額が表示される欄［ｇ２１］〜［ｇ２４］と、当期の財務活動によるキャッシュフロー増額が表示される欄［ｈ１１］，［ｈ１２］と、当期の財務活動によるキャッシュフロー減額が表示される欄［ｈ２１］〜［ｇ２３］とを有する。前記総合欄（Ｍ４）は、キャッシュフローの総計が表示される欄［ｉ１］と、期首のキャッシュ残高が表示される欄［ｉ２］と、期末のキャッシュ残高が表示される欄［ｉ５］とを有する。
【０００６】
好適には、本考案のキャッシュフロー計算書は、前記当期累計の資産の欄［ｂ２８］に表示された額に応じたビジュアル画像と、前記当期累計の負債の欄［ｃ２７］に表示された額に応じたビジュアル画像と、前記当期累計の資本の欄［ｄ２１］，［ｄ２２］に表示された額に応じたビジュアル画像とをさらに有する。
【０００７】
好適には、本考案のキャッシュフロー計算書は、売上総利益の実績と予算の額が表示される欄［ｍ１１］，［ｍ２１］と、営業利益の実績と予算の額が表示される欄［ｍ１５］，［ｍ２５］と、販管費内訳の実績と予算の額が表示される欄［ｐ１３］，［ｐ２３］と、販管費の増加要因の合計額と減少要因の合計額とが表示される欄［ｑ１］，［ｑ２］と、売上総利益目標額が表示される欄［ｎ１１］と、営業利益目標額が表示される欄［ｎ１２］とを有する売上・利益のシミュレーション欄をさらに有する。
【考案の効果】
【０００８】
本考案によれば、損益計算書や対策対照表と共に、キャッシュフローを把握できるキャッシュフロー計算書を提供することができる。
【図面の簡単な説明】
【０００９】
【図１】図１は、本考案の実施形態に係るキャッシュフロー計算書の正面図である。
【図２】図２は、図１に示すキャッシュフロー計算書を説明するための図である。
【図３】図３は、本考案の実施形態に係るキャッシュフロー計算書の売上・利益のシミュレーション書の正面図である。
【図４】図４は、図３に示す売上・利益のシミュレーション書を説明するための図である。
【考案を実施するための最良の形態】
【００１０】
以下、本考案の実施形態に係る決算予測シミュレーション書を、図面を参照しながら説明する。
図１は、本考案の実施形態に係るキャッシュフロー計算書１の正面図である。
図２は、図１に示すキャッシュフロー計算書１を説明するための図である。
図１に示すように、キャッシュフロー計算書１は、例えば、損益計算書欄Ｍ１、貸借対照表欄Ｍ２、ビジュアル画像欄Ｂ１、キャッシュフロー計算書欄Ｍ３および総合欄Ｍ４を有する。
キャッシュフロー計算書１では、１枚のシートに、損益計算書欄Ｍ１および貸借対照表欄Ｍ２の他に、キャッシュフローに関するキャッシュフロー計算書欄Ｍ３および総合欄Ｍ４を有する。
そのため、これらの情報を基に、キャッシュフローの状態を含めて企業の経営状態を正確に把握できる。
【００１１】
［損益計算書欄Ｍ１］
損益計算書欄Ｍ１は、前期実績および当期累計の売上高とその増減がそれぞれ表示される売上高欄［ａ１１］，［ａ２１］，［ａ３１］を有する。
損益計算書欄Ｍ１は、前期実績および当期累計の売上原価とその増減がそれぞれ表示される売上原価欄［ａ１２］，［ａ２２］，［ａ３２］を有する。
損益計算書欄Ｍ１は、前期実績および当期累計の売上総利益とその増減がそれぞれ表示される売上総利益欄［ａ１３］，［ａ２３］，［ａ３３］を有する。
損益計算書欄Ｍ１は、前期実績および当期累計の販管費とその増減がそれぞれ表示される販管費欄［ａ１４］，［ａ２４］，［ａ３４］を有する。
損益計算書欄Ｍ１は、前期実績および当期累計の営業利益とその増減がそれぞれ表示される営業利益欄［ａ１５］，［ａ２５］，［ａ３５］を有する。
損益計算書欄Ｍ１は、前期実績および当期累計の営業外収入とその増減がそれぞれ表示される営業外収入欄［ａ１６］，［ａ２６］，［ａ３６］を有する。
損益計算書欄Ｍ１は、前期実績および当期累計の営業外費用とその増減がそれぞれ表示される営業外費用欄［ａ１７］，［ａ２７］，［ａ３７］を有する。
損益計算書欄Ｍ１は、前期実績および当期累計の経常利益とその増減がそれぞれ表示される経常利益欄［ａ１８］，［ａ２８］，［ａ３８］を有する。
【００１２】
損益計算書欄Ｍ１は、前期実績および当期累計の特別利益とその増減がそれぞれ表示される特別利益欄［ａ１９］，［ａ２９］，［ａ３９］を有する。
損益計算書欄Ｍ１は、前期実績および当期累計の特別損失とその増減がそれぞれ表示される特別損失欄［ａ２０］，［ａ３０］，［ａ４０］を有する。
損益計算書欄Ｍ１は、前期実績および当期累計の税引前当期利益とその増減がそれぞれ表示される税引前当期利益欄［ａ２１］，［ａ３１］，［ａ４１］を有する。
損益計算書欄Ｍ１は、前期実績および当期累計の法人税等の額とその増減がそれぞれ表示される法人税等欄［ａ２２］，［ａ３２］，［ａ４２］を有する。
損益計算書欄Ｍ１は、前期実績および当期累計の税引後当期利益とその増減がそれぞれ表示される税引後当期利益欄［ａ２３］，［ａ３３］，［ａ４３］を有する。
【００１３】
［貸借対照表欄Ｍ２］
貸借対照表欄Ｍ２は、資産欄Ｍ２１、負債欄Ｍ２２および資本欄Ｍ２３を有する。
資産欄Ｍ２１は、前期実績および当期累計の現預金とその増減がそれぞれ表示される現預金欄［ｂ１１］，［ｂ２１］，［ｂ３１］を有する。
資産欄Ｍ２１は、前期実績および当期累計の売掛債権とその増減がそれぞれ表示される売掛債権欄［ｂ１２］，［ｂ２２］，［ｂ３２］を有する。
資産欄Ｍ２１は、前期実績および当期累計の有価証券とその増減がそれぞれ表示される有価証券欄［ｂ１３］，［ｂ２３］，［ｂ３３］を有する。
資産欄Ｍ２１は、前期実績および当期累計の棚卸資産とその増減がそれぞれ表示される棚卸資産欄［ｂ１４］，［ｂ２４］，［ｂ３４］を有する。
資産欄Ｍ２１は、前期実績および当期累計の売掛債権とその増減がそれぞれ表示されるその他流動資産欄［ｂ１５］，［ｂ２５］，［ｂ３５］を有する。
資産欄Ｍ２１は、前期実績および当期累計の固定資産とその増減がそれぞれ表示される固定資産欄［ｂ１６］，［ｂ２６］，［ｂ３６］を有する。
資産欄Ｍ２１は、前期実績および当期累計の繰延資産とその増減がそれぞれ表示される繰延資産欄［ｂ１７］，［ｂ２７］，［ｂ３７］を有する。
資産欄Ｍ２１は、前期実績および当期累計の資産合計とその増減がそれぞれ表示される資産合計欄［ｂ１８］，［ｂ２８］，［ｂ３８］を有する。
【００１４】
負債欄Ｍ２２は、前期実績および当期累計の仕入債務とその増減がそれぞれ表示される仕入債務欄［ｃ１１］，［ｃ２１］，［ｃ３１］を有する。
負債欄Ｍ２２は、前期実績および当期累計の短期借入金とその増減がそれぞれ表示される短期借入金欄［ｃ１２］，［ｃ２２］，［ｃ３２］を有する。
負債欄Ｍ２２は、前期実績および当期累計の未払法人税等とその増減がそれぞれ表示される未払法人税等欄［ｃ１３］，［ｃ２３］，［ｃ３３］を有する。
負債欄Ｍ２２は、前期実績および当期累計のその他流動負債とその増減がそれぞれ表示されるその他流動負債欄［ｃ１４］，［ｃ２４］，［ｃ３４］を有する。
負債欄Ｍ２２は、前期実績および当期累計の長期借入とその増減がそれぞれ表示される長期借入欄［ｃ１５］，［ｃ２５］，［ｃ３５］を有する。
負債欄Ｍ２２は、前期実績および当期累計のその他固定負債とその増減がそれぞれ表示されるその他固定負債欄［ｃ１６］，［ｃ２６］，［ｃ３６］を有する。
資産欄Ｍ２１は、前期実績および当期累計の負債合計とその増減がそれぞれ表示される負債合計欄［ｃ１７］，［ｃ２７］，［ｃ３７］を有する。
【００１５】
資本欄Ｍ２３は、前期実績および当期累計の資本金・資本剰余金とその増減がそれぞれ表示される資本金・資本剰余金欄［ｄ１１］，［ｄ２１］，［ｄ３１］を有する。
資本欄Ｍ２３は、前期実績および当期累計の剰余金とその増減がそれぞれ表示される剰余金欄［ｄ１２］，［ｄ２２］，［ｄ３２］を有する。
資本欄Ｍ２３は、前期実績および当期累計の資本合計とその増減がそれぞれ表示される資本合計欄［ｄ１３］，［ｄ２３］，［ｄ３３］を有する。
【００１６】
［ビジュアル画像欄Ｂ１］
ビジュアル画像欄Ｂ１は、ビジュアル画像Ｂ１１，Ｂ１２，Ｂ１３を有する。
ビジュアル画像Ｂ１１は、前記当期累計の資産の欄［ｂ２８］に表示された額に応じた高さを有するビジュアル画像である。
ビジュアル画像Ｂ１２は、当期累計の負債の欄［ｃ２７］に表示された額に応じた高さを有するビジュアル画像である。
ビジュアル画像ｂ１３は、当期累計の資本の欄［ｄ２１］，［ｄ２２］に表示された額に応じた高さを有するビジュアル画像である。
このようなビジュアル画像欄Ｂ１を設けることで、資産、負債および資本の大きさを視覚的に容易に把握できる。
【００１７】
［キャッシュフロー計算書欄Ｍ３］
キャッシュフロー計算書欄Ｍ３は、当期の営業活動によるキャッシュフロー増額と、当期の営業活動によるキャッシュフロー減額とが表示される欄Ｍ３１を有する。
キャッシュフロー計算書欄Ｍ３は、当期の投資活動によるキャッシュフロー増額と、当期の投資活動によるキャッシュフロー減額とが表示される欄Ｍ３２を有する。
キャッシュフロー計算書欄Ｍ３は、当期の財務活動によるキャッシュフロー増額と、当期の財務活動によるキャッシュフロー減額とが表示される欄Ｍ３３を有する。
【００１８】
欄３１は、税引前当期利益が表示される欄［ｆ１１］を有する。
欄３１は、営業活動によるキャッシュフロー増額として、減価償却費、売掛債権の減少、棚卸資産の減少、仕入債務の増加、その他流動資産の減少、その他流動負債の増加、その他固定負債の増加の額がそれぞれ表示される欄［ｆ１２］〜［ｆ１８］と、それらの小計が表示される欄［ｆ１９］とを有する。
欄３１は、営業活動によるキャッシュフロー減額として、法人税等の支払額、売掛債権の増加、棚卸資産の増加、仕入債務の減少、その他流動資産の増加、その他流動負債の減少、その他固定負債の減少の額がそれぞれ表示される欄［ｆ２２］〜［ｆ２７］と、それらの小計が表示される欄［ｆ２８］とを有する。
また、欄３１は、営業キャッシュフロー（ＣＦ）の合計が表示される欄［ｆ３］を有する。
【００１９】
欄３２は、投資活動によるキャッシュフロー増額として、固定資産の減少の額が表示される欄［ｇ１１］と、繰延資産の減少の額が表示される欄［ｇ１２］と、それらの小計が表示される欄［ｇ１３］とを有する。
欄３２は、投資活動によるキャッシュフロー減額として、固定資産の増加の額が表示される欄［ｇ２１］と、繰延資産の増加の額が表示される欄［ｇ２２］と、減価償却費の額が表示される欄［ｇ２３］と、それらの小計が表示される欄［ｇ２４］とを有する。
また、欄３２は、投資キャッシュフロー（ＣＦ）の合計が表示される欄［ｇ３］を有する。
【００２０】
欄３３は、財務活動によるキャッシュフロー増額として、借入金の増加の額が表示される欄［ｈ１１］と、増資の額が表示される欄［ｈ１２］と、それらの小計が表示される欄［ｈ１３］とを有する。
欄３２は、財務活動によるキャッシュフロー減額として、借入金の減少の額が表示される欄［ｈ２１］と、減資の額が表示される欄［ｈ２２］と、それらの小計が表示される欄［ｈ２３］とを有する。
また、欄３２は、財務キャッシュフロー（ＣＦ）の合計が表示される欄［ｈ３］を有する。
【００２１】
［総合欄Ｍ４］
総合欄Ｍ４は、キャッシュフローの総計が表示される欄［ｉ１］と、期首のキャッシュ残高が表示される欄［ｉ２］と、キャッシュフローの総計が表示される欄［ｉ３］と、端数調整の額が表示される欄［ｉ４］と、期末のキャッシュ残高が表示される欄［ｉ５］とを有する。
【００２２】
上述したようにキャッシュフロー計算書１では、図１および図２に示すように、１枚のシートに、損益計算書欄Ｍ１および貸借対照表欄Ｍ２の他に、キャッシュフローに関するキャッシュフロー計算書欄Ｍ３および総合欄Ｍ４を有する。
そのため、これらの情報を基に、キャッシュフローの状態を含めて企業の経営状態を正確に把握できる。
また、キャッシュフロー計算書１では、記当期累計の資産、当期累計の負債、当期累計の資本のビジュアル画像がビジュアル画像欄Ｂ１に表示される。そのため、これらを視覚的に把握できる。
【００２３】
図３は、本考案の実施形態に係るキャッシュフロー計算書１の売上・利益のシミュレーション書１１の正面図である。
図４は、図３に示す売上・利益のシミュレーション書１１を説明するための図である。
図４に示すように、売上・利益のシミュレーション書１１は、モジュールＭ２１，Ｍ２２，Ｍ２３，Ｍ２４，Ｍ２５，Ｍ２６，Ｍ２７を有する。
売上・利益のシミュレーション書１１は、キャッシュフロー計算書１と同じシートあるいは別シートとして表示される。
【００２４】
［モジュールＭ２１］
モジュールＭ２１は、前期実績および当期累計の売上高と、その比較額と、比較率がそれぞれ表示される売上高欄［ｍ１１］，［ｍ２１］，［ｍ３１］，［ｍ４１］を有する。
モジュールＭ２１は、前期実績および当期累計の売上原価と、その比較額と、比較率がそれぞれ表示される売上原価欄［ｍ１２］，［ｍ２２］，［ｍ３２］，［ｍ４２］を有する。
モジュールＭ２１は、前期実績および当期累計の売上総利益と、その比較額と、比較率がそれぞれ表示される売上総利益欄［ｍ１３］，［ｍ２３］，［ｍ３３］，［ｍ４３］を有する。
モジュールＭ２１は、前期実績および当期累計の販管費と、その比較額と、比較率がそれぞれ表示される販管費欄［ｍ１４］，［ｍ２４］，［ｍ３４］，［ｍ４１］］を有する。
モジュールＭ２１は、前期実績および当期累計の営業利益と、その比較額と、比較率がそれぞれ表示される営業利益欄［ｍ１５］，［ｍ２５］，［ｍ３５］，［ｍ４５］を有する。
【００２５】
［モジュールＭ２２］
モジュールＭ２２は、前期実績および当期累計の原価率と、その比較額と、比較率がそれぞれ表示される原価率欄［ｏ１１］，［ｏ２１］，［ｏ３１］，［ｏ４１］を有する。
モジュールＭ２２は、前期実績および当期累計の売上総利益率と、その比較額と、比較率がそれぞれ表示される売上総利益率欄［ｏ１２］，［ｏ２２］，［ｏ３２］，［ｏ４２］を有する。
モジュールＭ２２は、前期実績および当期累計の営業利益率と、その比較額と、比較率がそれぞれ表示される営業利益率欄［ｏ１３］，［ｏ２３］，［ｏ３３］，［ｏ４３］を有する。
【００２６】
［モジュールＭ２３］
モジュールＭ２３は、前期実績および当期累計の販管費内訳としての役員報酬と、その比較額と、比較率がそれぞれ表示される役員報酬欄［ｐ１１］，［ｐ２１］，［ｐ３１］，［ｐ４１］を有する。
モジュールＭ２３は、前期実績および当期累計の販管費内訳としてのその他の費用の額と、その比較額と、比較率がそれぞれ表示されるその他欄［ｐ１２］，［ｐ２２］，［ｐ３２］，［ｐ４２］を有する。
モジュールＭ２３は、欄「ｐ１１」と［ｐ１２］に表示される額の合計、欄「ｐ２１」と［ｐ２２］に表示される額の合計、欄「ｐ３１」と［ｐ３２］に表示される額の合計、欄「ｐ４１」と［ｐ４２］に表示される額の合計がそれぞれ表示される欄［ｐ１３］，［ｐ２３］，［ｐ３３］，［ｐ４３］を有する。
【００２７】
［モジュールＭ２４］
モジュールＭ２４は、販管費の増加要因の項目と金額が表示される欄と、それらの合計が表示される欄［ｑ１］とを有する。
モジュールＭ２４は、販管費の減少要因の項目と金額が表示される欄と、それらの合計が表示される欄［ｑ２］とを有する。
【００２８】
［モジュールＭ２５］
モジュールＭ２５は、売上総利益目標が表示される欄［ｎ１１］と、営業利益額目標が表示される欄［ｎ１２］とを有する。
【００２９】
［モジュールＭ２６］
モジュールＭ２６は、月別販売比率の見込みが表示される。
モジュールＭ２６は、各月について、前期実績と当期予算の額がそれぞれ表示される欄［ｒ１１］〜［ｒ２２］と［ｒ３１］〜［ｒ４２］と、当期予算の前年比が表示される［ｒ５１］〜［ｒ６２］とを有する。
モジュールＭ２６は、前期実績の年間合計が表示される欄［ｒ２３］と、当期予算の年間合計が表示される欄［ｒ４３］と、前期実績の合計に対する当期予算の合計の比が表示される欄［ｒ６３］とを有する。
ここで、欄［ｒ３１］〜［ｒ４２］には、欄［ｒ１１］〜［ｒ２２］に表示された額と、欄［ｒ５１］〜［ｒ６２］に表示された値とを基に自動計算された額が表示される。
【００３０】
［モジュールＭ２７］
モジュールＭ２７は、各月の予算の手入力欄である欄［ｒ７１］〜［ｒ８２］を有する。これらの欄に手入力された場合には、それらの額が欄［ｒ３１］〜［ｒ４２］に表示される。
【００３１】
上述したようにキャッシュフロー計算書１では、図１および図２に示すように、１枚のシートに、損益計算書欄Ｍ１および貸借対照表欄Ｍ２の他に、キャッシュフローに関するキャッシュフロー計算書欄Ｍ３および総合欄Ｍ４を有する。
そのため、これらの情報を基に、キャッシュフローの状態を含めて企業の経営状態を正確に把握できる。
また、キャッシュフロー計算書１では、記当期累計の資産、当期累計の負債、当期累計の資本のビジュアル画像がビジュアル画像欄Ｂ１に表示される。
そのため、これらを視覚的に把握できる。
【００３２】
また、キャッシュフロー計算書１では、売上・利益のシミュレーション書１１を用いることで、売上総利益目標および営業利益額目標と、販管費と、予算の前年比を変更しながら、シミュレーションをすることができ、便利である。
【００３３】
ここで、キャッシュフロー計算書１および売上・利益のシミュレーション書１１がエクセルシート等を用いて作成される場合に、一部の欄にはユーザによって額が記入（入力）され、他の欄には上記ユーザによって各欄に入力された額、あるいは他のシートの所定の欄に入力された額に基づいて自動計算、あるいは取得された額が表示される。
【００３４】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態のキャッシュフロー計算書１および売上・利益のシミュレーション書１１の各項目の欄の配置は任意であり、適宜変更可能である。
【産業上の利用可能性】
【００３５】
本考案は、例えば、キャッシュフロー計算書に適用可能である。
【符号の説明】
【００３６】
１…キャッシュフロー計算書
１１…売上・利益のシミュレーション書
【図１】
0003167612.tif 000003
【図２】
0003167612.tif 000004
【図３】
0003167612.tif 000005
【図４】
0003167612.tif 000006
【手続補正書】
【提出日】平成23年2月24日(2011.2.24)
【手続補正１】
【補正対象書類名】実用新案登録請求の範囲
【補正対象項目名】全文
【補正方法】変更
【補正の内容】
【実用新案登録請求の範囲】
【請求項１】
損益計算書欄（Ｍ１）と、
前記損益計算書欄（Ｍ１）の下方に形成された貸借対照表欄（Ｍ２）と、
前記損益計算書欄（Ｍ１）および前記貸借対照表欄（Ｍ２）の右側に形成されたキャッシュフロー計算書欄（Ｍ３）と、
前記キャッシュフロー計算書欄（Ｍ３）の下方に形成された総合欄（Ｍ４）と
が第１の頁内に形成され、
前記損益計算書欄（Ｍ１）は、
前期実績および当期累計の売上総利益がそれぞれ表示される売上総利益欄［ａ１３］，［ａ２３］と、
前期実績および当期累計の営業利益がそれぞれ表示される営業利益欄［ａ１５］，［ａ２５］と、
前期実績および当期累計の経常利益がそれぞれ表示される経常利益欄［ａ１８］，［ａ２８］と、
前期実績および当期累計の税引前当期利益がそれぞれ表示される税引前当期利益欄［ａ２１］，［ａ３１］と、
前期実績および当期累計の税引後当期利益がそれぞれ表示される税引後当期利益欄［ａ２３］，［ａ３３］と
を上方から下方に向けて順に設けており、
貸借対照表欄（Ｍ２）は、
前期実績および当期累計の資産の欄［ｂ１１］〜［ｂ１８］，［ｂ２１］〜［ｂ２８］と、
前期実績および当期累計の負債の欄［ｃ１１］〜［ｃ１８］，［ｃ２１］〜［ｃ２８］と、
前期実績および当期累計の資本の欄［ｄ１１］〜［ｄ１３］，［ｄ２１］〜［ｄ２３］と
を上方から下方に向けて順に設けており、
前記キャッシュフロー計算書欄（Ｍ３）は、
当期の営業活動によるキャッシュフロー増額が表示される欄［ｆ１２］〜［ｆ１９］と、
当期の営業活動によるキャッシュフロー減額が表示される欄［ｆ２１］〜［ｆ２８］と、
当期の投資活動によるキャッシュフロー増額が表示される欄［ｇ１１］〜［ｇ１３］と、
当期の投資活動によるキャッシュフロー減額が表示される欄［ｇ２１］〜［ｇ２４］と、
当期の財務活動によるキャッシュフロー増額が表示される欄［ｈ１１］，［ｈ１２］と、
当期の財務活動によるキャッシュフロー減額が表示される欄［ｈ２１］〜［ｇ２３］と
を上方から下方に向けて順に設けており、
前記総合欄（Ｍ４）は、
キャッシュフローの総計が表示される欄［ｊ１］と、
期首のキャッシュ残高が表示される欄［ｊ２］と、
期末のキャッシュ残高が表示される欄［ｊ５］と
を上方から下方に向けて順に設けている
キャッシュフロー計算書。
【請求項２】
前記当期累計の資産の欄［ｂ２８］に表示された額に応じたビジュアル画像と、
前記当期累計の負債の欄［ｃ２７］に表示された額に応じたビジュアル画像と、
前記当期累計の資本の欄［ｄ２１］，［ｄ２２］に表示された額に応じたビジュアル画像とが
前記第１の頁内の前記貸借対照表欄（Ｍ２）の下方に設けられている
請求項１に記載のキャッシュフロー計算書。
【請求項３】
売上総利益の実績と予算の額が表示される欄［ｍ１１］，［ｍ２１］と、
営業利益の実績と予算の額が表示される欄［ｍ１５］,［ｍ２５］と、
販管費内訳の実績と予算の額が表示される欄［ｐ１３］，［ｐ２３］と、
販管費の増加要因の合計額と減少要因の合計額とが表示される欄［ｑ２１］，［ｑ２２］と
が上方から下方に向けて順に形成されており、
売上総利益目標額が表示される欄［ｎ１１］と、
営業利益目標額が表示される欄［ｎ１２］と
が前記欄［ｍ１１］，［ｍ２１］，［ｍ１５］，［ｍ２５］の右側に設けられている
売上・利益のシミュレーション欄が前記第１の頁とは別の第２の頁に設けられた
請求項１または請求項２に記載のキャッシュフロー計算書。
【手続補正２】
【補正対象書類名】明細書
【補正対象項目名】０００５
【補正方法】変更
【補正の内容】
【０００５】
上述した従来技術の問題点を解決し、上述した目的を達成するために、本発明のキャッシュフロー計算書は、損益計算書欄（Ｍ１）と、前記損益計算書欄（Ｍ１）の下方に形成された貸借対照表欄（Ｍ２）と、前記損益計算書欄（Ｍ１）および前記貸借対照表欄（Ｍ２）の右側に形成されたキャッシュフロー計算書欄（Ｍ３）と、前記キャッシュフロー計算書欄（Ｍ３）の下方に形成された総合欄（Ｍ４）とが第１の頁内に形成され、前記損益計算書欄（Ｍ１）は、前期実績および当期累計の売上総利益がそれぞれ表示される売上総利益欄［ａ１３］，［ａ２３］と、前期実績および当期累計の営業利益がそれぞれ表示される営業利益欄［ａ１５］，［ａ２５］と、前期実績および当期累計の経常利益がそれぞれ表示される経常利益欄［ａ１８］，［ａ２８］と、前期実績および当期累計の税引前当期利益がそれぞれ表示される税引前当期利益欄［ａ２１］，［ａ３１］と、前期実績および当期累計の税引後当期利益がそれぞれ表示される税引後当期利益欄［ａ２３］，［ａ３３］とを上方から下方に向けて順に設けており、貸借対照表欄（Ｍ２）は、前期実績および当期累計の資産の欄［ｂ１１］〜［ｂ１８］，［ｂ２１］〜［ｂ２８］と、前期実績および当期累計の負債の欄［ｃ１１］〜［ｃ１８］，［ｃ２１］〜［ｃ２８］と、前期実績および当期累計の資本の欄［ｄ１１］〜［ｄ１３］，［ｄ２１］〜［ｄ２３］とを上方から下方に向けて順に設けており、前記キャッシュフロー計算書欄（Ｍ３）は、当期の営業活動によるキャッシュフロー増額が表示される欄［ｆ１２］〜［ｆ１９］と、当期の営業活動によるキャッシュフロー減額が表示される欄［ｆ２１］〜［ｆ２８］と、当期の投資活動によるキャッシュフロー増額が表示される欄［ｇ１１］〜［ｇ１３］と、当期の投資活動によるキャッシュフロー減額が表示される欄［ｇ２１］〜［ｇ２４］と、当期の財務活動によるキャッシュフロー増額が表示される欄［ｈ１１］，［ｈ１２］と、当期の財務活動によるキャッシュフロー減額が表示される欄［ｈ２１］〜［ｇ２３］とを上方から下方に向けて順に設けており、前記総合欄（Ｍ４）は、キャッシュフローの総計が表示される欄［ｊ１］と、期首のキャッシュ残高が表示される欄［ｊ２］と、期末のキャッシュ残高が表示される欄［ｊ５］とを上方から下方に向けて順に設けている。


【手続補正３】
【補正対象書類名】明細書
【補正対象項目名】０００６
【補正方法】変更
【補正の内容】
【０００６】
好適には、本考案のキャッシュフロー計算書は、前記当期累計の資産の欄［ｂ２８］に表示された額に応じたビジュアル画像と、前記当期累計の負債の欄［ｃ２７］に表示された額に応じたビジュアル画像と、前記当期累計の資本の欄［ｄ２１］，［ｄ２２］に表示された額に応じたビジュアル画像とが前記第１の頁内の前記貸借対照表欄（Ｍ２）の下方に設けられている。
【手続補正４】
【補正対象書類名】明細書
【補正対象項目名】０００７
【補正方法】変更
【補正の内容】
【０００７】
好適には、本考案のキャッシュフロー計算書は、売上総利益の実績と予算の額が表示される欄［ｍ１１］，［ｍ２１］と、営業利益の実績と予算の額が表示される欄［ｍ１５］，［ｍ２５］と、販管費内訳の実績と予算の額が表示される欄［ｐ１３］，［ｐ２３］と、販管費の増加要因の合計額と減少要因の合計額とが表示される欄［ｑ２１］，［ｑ２２］とが上方から下方に向けて順に形成されており、売上総利益目標額が表示される欄［ｎ１１］と、営業利益目標額が表示される欄［ｎ１２］とが前記欄［ｍ１１］，［ｍ２１］，［ｍ１５］，［ｍ２５］の右側に設けられている売上・利益のシミュレーション欄が前記第１の頁とは別の第２の頁に設けられている。